(57)【要約】【課題】ハンドルの揺動角度のばらつきを抑制しつつスイッチ本体内部の空間を確保したスイッチ装置を提供する。【解決手段】スイッチ本体11の正面側にスイッチ本体側突部50を設ける。ハンドル12にハンドル側突部55を設ける。スイッチ本体側突部50にハンドル側突部55が当接することでハンドル12の揺動角度を規制する。ハンドル12の揺動角度のばらつきを抑制できる。ハンドル12の揺動角度を規制するための構成をスイッチ本体11の内部に設ける必要がなく、スイッチ本体11の内部の空間を確保できる。【選択図】図１
2009230972.tif 000002
【特許請求の範囲】
【請求項１】
スイッチ本体と；
このスイッチ本体の正面側に揺動可能に支持されたハンドルと；
このハンドルの背面側に設けられたスプリング収納部と；
このスプリング収納部に正面背面方向に伸縮可能に収納されたスプリングと；
スイッチ本体内に収納され、正面側がスプリングの背面側に接続されるとともに背面側がスイッチ本体に回動可能に支持され、ハンドルの揺動に伴い回動する可動片と；
この可動片の回動側に設けられた可動接点と；
スイッチ本体内に設けられ、可動片の回動に伴い可動接点が接離される本体側接点と；
スイッチ本体の正面側に設けられたスイッチ本体側突部と；
ハンドルに設けられ、このハンドルの揺動時にスイッチ本体側突部と当接することによりハンドルの揺動角度を規制するハンドル側突部と；
を具備していることを特徴とするスイッチ装置。
【請求項２】
ハンドルの背面側に設けられ、スプリングの背面側が伸縮方向と交差する方向へと変形可能で、かつ、この変形により可動接点と本体側接点とが接触可能となる可動片の動作範囲を得るための可撓空間部を具備している
ことを特徴とする請求項１記載のスイッチ装置。
【請求項３】
正面側がスプリングの背面側に接続され背面側が可動片の正面側に接続された規制部材と；
ハンドルの背面側に設けられ、規制部材が揺動可能に嵌合されているとともに、この規制部材の揺動位置を規制する揺動規制部と；
を具備していることを特徴とする請求項２記載のスイッチ装置。
【発明の詳細な説明】
【技術分野】
【０００１】
本発明は、揺動するハンドルを備えたスイッチ装置に関する。
【背景技術】
【０００２】
従来、この種のスイッチ装置であるタンブラスイッチは、スイッチ本体と、このスイッチ本体の正面側に揺動自在に支持されたハンドルとを備えている。そして、スイッチ本体には、配線が電気的および機械的に接続される接続端子が収納されるとともに、この接続端子には、本体側接点である固定接点が設けられている。さらに、スイッチ本体には、背面側の端部を支点として回動する可動片が配置され、この可動片の回動に伴い、可動片に設けた可動接点が固定接点に接離され、接点が開閉される。また、ハンドルの背面側には、背面を開口したスプリング収納部が設けられ、このスプリング収納部に、コイルスプリングが収納されている。そして、このコイルスプリングの背面側の端部が可動片の正面側の端部に係合しており、ハンドルを揺動操作することにより、コイルスプリングが全体的に撓みながら可動片の正面側の端部を前後に押動し、操作時には適度な操作感を生成するとともに、操作後は可動片を押圧して位置を保持するようになっている。
【０００３】
このようなタンブラスイッチにおいては、ハンドルの揺動角度(操作角)を一定にすると、可動片の動作に制約が生じ、導通が正常に行えない場合を生じる可能性があるので、導通や動作の確保を優先するため、可動片が正常に反転して固定接点と接触した位置がハンドルの揺動角度を決定するように構成されている。
【０００４】
しかしながら、このようなタンブラスイッチでは、可動片と固定接点との接触位置によりハンドルの揺動角度を決定しているため、可動片の寸法のばらつきや組み立て時の寸法のばらつきにより、ハンドルの揺動角度にある程度の幅が生じる。このため、タンブラスイッチの取り付け後に使用者が触れる操作ハンドル、あるいはその操作ハンドル上に操作板を取り付けたものの角度が一定でなく、例えば２つ以上のスイッチを同一の取付枠に施工した場合、操作ハンドル(操作板)の傾きにばらつきが生じ、見栄えが悪くなる場合や、操作ハンドル(操作板)の遊びに大小が生じ、このばらつきによって操作した際に違和感が生じる場合があるという問題点を有している。
【０００５】
この点、操作ハンドルの背面側に突部を設け、本体スイッチの内部に、操作ハンドルの突部が当接する当接面を形成することで、操作ハンドルの最大揺動位置を規制した構成が知られている(例えば、特許文献１参照。)。
【特許文献１】特開２００３−１６８７３号公報(第４頁、図１)
【発明の開示】
【発明が解決しようとする課題】
【０００６】
しかしながら、本体スイッチの内部に当接面を形成する場合には、本体スイッチの内部の空間が減少し、例えばスイッチの開閉状態を表示するための発光部材などを本体スイッチの内部に取り付ける場合などに、充分なスペースを取ることができないという問題点を有している。
【０００７】
本発明は、このような点に鑑みなされたもので、ハンドルの揺動角度のばらつきを抑制しつつスイッチ本体内部の空間を確保したスイッチ装置を提供することを目的とする。
【課題を解決するための手段】
【０００８】
請求項１記載のスイッチ装置は、スイッチ本体と；このスイッチ本体の正面側に揺動可能に支持されたハンドルと；このハンドルの背面側に設けられたスプリング収納部と；このスプリング収納部に正面背面方向に伸縮可能に収納されたスプリングと；スイッチ本体内に収納され、正面側がスプリングの背面側に接続されるとともに背面側がスイッチ本体に回動可能に支持され、ハンドルの揺動に伴い回動する可動片と；この可動片の回動側に設けられた可動接点と；スイッチ本体内に設けられ、可動片の回動に伴い可動接点が接離される本体側接点と；スイッチ本体の正面側に設けられたスイッチ本体側突部と；ハンドルに設けられ、このハンドルの揺動時にスイッチ本体側突部と当接することによりハンドルの揺動角度を規制するハンドル側突部と；を具備しているものである。
【０００９】
スイッチ本体は、例えば合成樹脂などにより形成されたケース体とカバーとを、別体の止金具などにより固定することで構成されている。
【００１０】
ハンドルは、例えばスイッチ本体に圧入されて揺動可能に軸支されている。
【００１１】
スプリング収納部は、例えばハンドルの背面側に円筒状などに形成されている。
【００１２】
スプリングは、例えばコイルスプリングであり、スプリング収納部に正面側が挿入されて収納されている。
【００１３】
可動片は、例えば可動接点と一体的に金属などにより形成されている。
【００１４】
本体側接点は、例えば導通の切り換えを行う３路スイッチの場合には、可動片の揺動方向に対をなして互いに対向して設けられ、導通の入り切りを行う片切スイッチの場合には１つが設けられている。
【００１５】
そして、ハンドルに設けたハンドル側突部が、ハンドルの揺動時に、スイッチ本体の正面側に設けたスイッチ本体側突部と当接することでハンドルの揺動角度を規制することにより、ハンドルの揺動角度のばらつきが抑制されるとともに、ハンドルの揺動角度を規制するための構成をスイッチ本体の内部に設ける必要がなく、スイッチ本体内部の空間が確保される。
【００１６】
請求項２記載のスイッチ装置は、請求項１記載のスイッチ装置において、ハンドルの背面側に設けられ、スプリングの背面側が伸縮方向と交差する方向へと変形可能で、かつ、この変形により可動接点と本体側接点とが接触可能となる可動片の動作範囲を得るための可撓空間部を具備しているものである。
【００１７】
可撓空間部は、例えばスプリングを収納するスプリング収納部の背面側に設けられ、収納されたスプリングが伸縮方向に交差する方向へと変形可能となるようにスプリング収納部よりも広く形成された空間部である。
【００１８】
請求項３記載のスイッチ装置は、請求項２記載のスイッチ装置において、正面側がスプリングの背面側に接続され背面側が可動片の正面側に接続された規制部材と；ハンドルの背面側に設けられ、規制部材が揺動可能に嵌合されているとともに、この規制部材の揺動位置を規制する揺動規制部と；を具備しているものである。
【００１９】
規制部材は、例えばプレス成形、鋳造あるいは鍛造などによる箱状や、スプリングの内径側に収納されるはとめ形状などの形状を有している。
【００２０】
揺動規制部は、例えばスプリング収納部に一体に設けられていてもよい。
【００２１】
そして、ハンドルの背面側の揺動規制部に嵌合した規制部材の揺動位置がこの揺動規制部により規制されることで、スプリングの背面側が伸縮方向と交差する方向に必要以上に変形することが防止され、スプリングおよび規制部材を介してハンドルの反転操作に可動片が確実に追従する。
【発明の効果】
【００２２】
請求項１記載のスイッチ装置によれば、ハンドルに設けたハンドル側突部が、ハンドルの揺動時に、スイッチ本体の正面側に設けたスイッチ本体側突部と当接することでハンドルの揺動角度を規制することにより、ハンドルの揺動角度のばらつきを抑制できるとともに、ハンドルの揺動角度を規制するための構成をスイッチ本体の内部に設ける必要がなく、スイッチ本体内部の空間を確保できる。
【００２３】
請求項２記載のスイッチ装置によれば、請求項１記載のスイッチ装置の効果に加えて、スプリングの背面側が伸縮方向と交差する方向へと変形することで可動接点と本体側接点とが接触可能となる可動片の動作範囲を得るための可撓空間部をハンドルの背面側に設けることにより、可動接点および本体側接点などに寸法公差や位置などのばらつきが生じた場合でも可動接点と本体側接点との確実な接触を得ることができる。
【００２４】
請求項３記載のスイッチ装置によれば、請求項２記載のスイッチ装置の効果に加えて、ハンドルの背面側の揺動規制部に嵌合した規制部材の揺動位置をこの揺動規制部により規制することで、スプリングの背面側が伸縮方向と交差する方向に必要以上に変形することを防止でき、スプリングおよび規制部材を介してハンドルの反転操作に可動片を確実に追従させることができる。
【発明を実施するための最良の形態】
【００２５】
以下、本発明の一実施の形態を図面を参照して説明する。
【００２６】
図１はスイッチ装置の断面図、図２はスイッチ装置のハンドルを示す断面図、図３はスイッチ装置のスプリング、可動片および規制部材を示す分解斜視図、図４はハンドルの動作に伴う可動片の動作を示し、(a)はハンドルの中立状態を示す説明断面図、(b)はハンドルが中立状態から所定角度傾斜した状態を示す説明断面図、(c)はハンドルが反転動作した状態を示す説明断面図、図５はスプリングの荷重を示す説明図である。
【００２７】
図１ないし図４において、10はスイッチ装置で、このスイッチ装置10は、いわゆるタンブラスイッチ(接点部反転構造スイッチ)であり、図示しない金属製の枠状のサポートに取り付けられ、このサポートを、造営材としての壁板に開口形成した開口部に、押え金具あるいは配線ボックスなどを用いて取り付け、さらに、室内側を取付プレートおよびスイッチカバーで覆って、配線装置である３路スイッチが構成されている。
【００２８】
そして、このスイッチ装置10は、スイッチ本体11と、このスイッチ本体11の正面側としての上側に揺動自在に支持された操作体であるハンドル12とを備えている。なお、以下、正面側を上側(図１に示す矢印Ｘ方向)、背面側を下側、これら正面背面方向に直交するスイッチ本体11の長手方向を前側(図１に示す矢印Ｙ方向)および後側、スイッチ本体11の幅方向を一側方向(図１中の紙面に垂直な方向)および他側方向として説明する。そして、スイッチ本体11は、上側をケース開口部14aとして開口した熱硬化性樹脂などの合成樹脂製の略箱状のケース体14と、このケース体14の上側を覆う熱硬化性樹脂などの合成樹脂製のカバー15とを備え、これらケース体14とカバー15とが金属製などの前後一対の止め具16により固定され、内部に収納空間部である金具収納部17が形成されている。
【００２９】
そして、ケース体14の下面には、例えば４個の電線挿入口21と、図示しない２個のリリース孔とが形成されている。そして、電線挿入口21の内側には、それぞれ板ばねを屈曲した鎖状金具24が配置されているとともに、リリース孔の内側には、それぞれ合成樹脂にて形成された図示しないリリース体（リリースボタン）が上下に進退可能に配置されている。また、後側に位置する２個の鎖状金具24には、共通端子26が組み合わされて接続され、前側に位置する２個の鎖状金具24には、それぞれ負荷端子である端子27(一方のみ図示)が接続されている。このため、後側に位置する電線挿入口21に挿入された電線は、鎖状金具24と共通端子26との間に挟持され鎖状接続されるとともに電気的に接続される。また、前側に位置する電線挿入口21に挿入された電線は、各鎖状金具24と各端子27との間に挟持され鎖状接続されるとともに電気的に接続される。また、リリース孔にマイナスドライバなどの治具を挿入してリリース体を押動して鎖状金具24を変形させることにより、鎖状接続を解除して接続した電線を取り外しできる。
【００３０】
また、共通端子26は、金具収納部17の下部の略中央部に延設されるとともに、上側に向かって拡開する略Ｖ字状に屈曲された可動片軸受部31が形成されている。また、端子27，27には、本体側接点としての固定接点33，33が、互いに前後に離間されて対向するように形成されている。
【００３１】
さらに、これら固定接点33に対向し、突片である可動片41が配置されている。この可動片41は、図３に示すように、導電性を有する金属板からなる平板状の可動片本体42と、この可動片本体42の長手方向の上端側にかしめなどして突出して取り付けられた円板状の可動接点44とを備えている。そして、可動片本体42は、水平な端縁部である下端部に、基端部45が形成されているとともに、長手方向の中間部に、基端部45に向かって幅寸法が大きくなる両側一対のガイド当接部46が形成されている。
【００３２】
そして、この可動片本体42は、可動片軸受部31の谷部に基端部45を当接し、この基端部45を支点として回動可能に支持され、この可動片本体42の回動により、可動接点44が固定接点33，33のいずれかに当接してスイッチが閉じられ、端子27，27のいずれかと共通端子26とが電気的に接続されるようになっている。
【００３３】
また、スイッチ本体11のカバー15は、図１に示すように、下面をケース開口部14aに連通するように開口した略箱状をなし、さらに、上面には、下面の開口よりも前後方向および幅方向に寸法の小さい開口部49が形成されている。また、この開口部49の上側の縁部には、突起であるスイッチ本体側突部50が内方に向けて突出するように形成されている。そして、この開口部49内には、ケース体14との間に空間部Ｓが形成されている。
【００３４】
空間部Ｓには、例えばスイッチ装置10のスイッチの開閉状態を表示させる場合には、そのための各種構成などが収容可能となっている。
【００３５】
また、ハンドル12は、図１および図２に示すように、例えば合成樹脂にて形成されたハンドル本体51を備え、ケース体14に開口部49から圧入されることでケース体14に対して揺動可能に軸支されている。そして、このハンドル本体51は、中央に位置する主要部52と、この主要部52の前後に位置する一対の操作部53と、これら操作部53と主要部52とを連結する連結部54とを備え、操作部53の両側部に突出したハンドル側突部55により揺動角度が所定の設定揺動角度α(例えば４°程度)に規制されている。すなわち、各ハンドル側突部55は、操作部53のいずれか一方が上側、他方が下側となるようにハンドル12が揺動した状態でスイッチ本体側突部50の下側に当接することで、ハンドル12がそれ以上揺動しないように規制している。
【００３６】
そして、主要部52の中央部には、上下方向を軸方向とし、上面を閉じ、下面を開口した円筒状の収納筒部56が開口形成され、この収納筒部56にスプリングとしてのコイルスプリング58が挿入され、このコイルスプリング58の下端部が、規制部材としての可動片受けである可動片受金59を介して可動片41に接続されている。また、主要部52には、スイッチ本体11に対するハンドル12の支点となる図示しない係合受部が一体に設けられている。
【００３７】
収納筒部56は、コイルスプリング58を収納保持するスプリング収納部56aと、このスプリング収納部56aの下側に拡径して連結する可撓空間形成部56bと、この可撓空間形成部56bの下側に拡径して連結する揺動規制部としての受金収納部56cとを備えている。したがって、収納筒部56は、上側から下側へと、内径寸法が段階的に大きくなるように形成されている。
【００３８】
可動片41から最も遠いスプリング収納部56aは、コイルスプリング58の外径寸法と略等しい内径寸法を有し、挿入されたコイルスプリング58を仮固定できるように構成されている。また、このスプリング収納部56aは、使用状態(圧縮状態)でのコイルスプリング58の長さの約半分程度の深さ寸法を有している。
【００３９】
可撓空間形成部56bは、コイルスプリング58の下端側がその伸縮方向と交差する径方向(スラスト方向)である側方へとしなるように変形可能な可撓空間部56dを内部に区画する部分である。なお、可撓空間形成部56bは、コイルスプリング58が径方向に充分に撓むことができる可撓空間部56dを少なくとも内部に形成する大きさであれば、任意に大きくしてもよく、あるいは、可撓空間形成部56b自体を形成することなく、可撓空間部56dのみを空間部Ｓ内に形成してもよい。
【００４０】
可動片41に最も近い受金収納部56cは、スプリング収納部56aに対して例えば１．２〜１．５倍程度の内径寸法を有し、内部に可動片受金59が揺動可能に嵌合している。すなわち、受金収納部56cは、可動片受金59に対してハンドル12の揺動方向に遊びを持たせた寸法に形成されている。
【００４１】
また、コイルスプリング58は、上端側がスプリング収納部56aに収納されているとともに、下端側が可撓空間形成部56bに収納され、下端部が受金収納部56c内の上部に位置している。このコイルスプリング58は、弾性的に変形可能な金属線を巻回したスプリングであり、軸方向に弾性的に伸縮するとともに、軸方向から傾斜する方向にも弾性的に変形可能な弾性体を構成している。そして、このコイルスプリング58は、接点部の反転機構を構成し、また、接点部の接触力を発生させている。
【００４２】
可動片受金59は、可動片41に接続されるコイルスプリング58の下端側に剛性を持たせることによりコイルスプリング58の座屈や荷重による巻きの乱れなどに起因する可動片41との接合状態、あるいはハンドル12の反転操作時のコイルスプリングの撓み過ぎによる動作異常などを防止するためのものである。この可動片受金59は、例えばプレス成形、鋳造あるいは鍛造などによる箱状やコイルスプリング58の内径側に殆ど収納されるはとめ形状などが考えられ、本実施の形態では、図３に示すように、例えば金属や合成樹脂などの適当な剛性が確保できる部材により、略矩形板状の基部62と、この基部62の両側部から折曲する両側一対の腕部63とが形成されている。
【００４３】
各腕部63は、下側となる先端側に向かって直線状にあるいは角部を介して幅寸法が小さくなり、先端部には、三角状あるいはＵ字状などの溝状の切欠部であるガイド部64が形成されている。そして、これら両側のガイド部64に、可動片41の両側のガイド当接部46が当接あるいは係合して押し下げられ、また、この状態で、両側のガイド部64間に可動接点44が位置するようになっている。さらに、基部62には、上側に向かい、上側に円筒状に突出する仮固着用のスプリング嵌合部(スプリングガイド)65が形成されている。そして、このスプリング嵌合部65の外径は、コイルスプリング58の内径よりも若干大きく、コイルスプリング58の下端部が嵌合し、保持されるようになっている。
【００４４】
ここで、ハンドル12の揺動に対応して可動片41を揺動させる各種機構、すなわち固定接点33、可動片41、収納筒部56、コイルスプリング58、あるいは可動片受金59などの大きさおよび位置などの寸法は、ハンドル12の設定揺動角度αを下回らない範囲で動作するように設定されている。すなわち、固定接点33、可動片41、収納筒部56、コイルスプリング58、あるいは可動片受金59などは、ハンドル12が設定揺動角度αよりも大きく揺動可能、例えばα×１．１〜１．３程度の角度に揺動可能となるように各寸法や位置が設定されているものの、突部50，55の当接によってハンドル12の揺動角度が設定揺動角度αに規制されるように構成されている。これらの数値は、収納可能なスイッチ本体11内のスペースの条件を設定することにより、おのずと適正な数値を導き出すことができる。
【００４５】
例えば、受金収納部56cは、ハンドル12の反転操作によるスイッチ装置10のオンオフなどの反転動作を確実に行うために、図４に示すように、ハンドル12の反転操作時にこの操作の中立点となる中立位置を超えて、設定揺動角度αの例えば１／２〜３／５程度反対側へと進んだ位置で可動片受金59を押して可動片41が中立から反対側に倒れるように設定する。
【００４６】
そして、このスイッチ装置10の組み立て工程は、まず、ケース体14に鎖状金具24、リリース体、共通端子26、負荷端子である端子27を組み込む。次いで、ハンドル12の収納筒部56にコイルスプリング58の上端側を挿入固定し、このコイルスプリング58の下端側に可動片受金59のスプリング嵌合部65を挿入し、かつ、この可動片受金59の各腕部63のガイド部64に可動片41のガイド当接部46をそれぞれ嵌合させた状態で、ケース体14に対してこれらハンドル12、コイルスプリング58、可動片受金59および可動片41を開口部49から一体的に圧入する。この状態で、カバー15をケース体14に組合せ、一対の止め具16で固定して、スイッチ装置10の組み立てが完成する。さらに、このスイッチ装置10を図示しないサポートに取り付け、配線ボックスなどを用いて壁面に取り付け、さらに、室内側を取付プレートおよびスイッチカバーで覆って、片切スイッチが構成される。
【００４７】
この状態で、スイッチカバーを介してハンドル12の操作部53を押動し、ハンドル12を揺動させることにより、コイルスプリング58および可動片受金59を介して可動片41を押動して回動させ、固定接点33，33のいずれかに可動接点44を接触させ、回路を切り換えるようになっている。
【００４８】
具体的に、ハンドル12が図１に示すように揺動した状態では、図中の右側のハンドル側突部55が図中の左側のハンドル側突部55よりも上方に位置してスイッチ本体側突部50と接触することで、ハンドル12の揺動が所定の設定揺動角度αに規制されている。このとき、コイルスプリング58は、上端側が下端側に対してハンドル12の揺動側(図中左側)に傾斜していることにより、可動片受金59を介して可動片41を可動片軸受部31に接触させる方向に荷重を与えるとともに、その下端側が可撓空間部56dにてハンドル12の揺動側へと径方向に湾曲して可動片41の可動接点44を右側の固定接点33へと押圧する荷重を与える。すなわち、図５に示すように、コイルスプリング58の荷重Ｆが、可動片41を可動片軸受部31に接触させる方向への荷重F1と、可動片41の可動接点44を右側の固定接点33へと押圧する荷重F2とを有している。なお、コイルスプリング58の下端部の変形は、可動片受金59が受金収納部56c内の右側に当接することで規制される。
【００４９】
この状態から、スイッチカバーを介してハンドル12の操作部53の図１中の左側を押圧すると、図４(a)に示すように、ハンドル12が中立状態となるに従い可動片受金59が受金収納部56cにより押圧されて可動片41が可動片軸受部31を基点として相対的に図中の右側へと回動することで可動接点44が右側の固定接点33から離間される。この状態で、可動片41は、コイルスプリング58の付勢によって上端側が下端側に対して右側へと傾斜した状態となっている。さらに、スイッチカバーを介してハンドル12の操作部53の左側を押圧すると、図４(b)の想像線および実線に示すように、ハンドル12が中立状態から右側へと揺動角度の例えば１／２〜３／５程度反対側へと進んだ位置となったとき、可動片受金59が受金収納部56cにより押圧されて中立位置となり、右側へと湾曲していたコイルスプリング58の下端側が可撓空間部56dにて左側へと湾曲するように切り換わり、その付勢によって可動片41の上端側が下端側に対して左側へと傾斜するように切り換わって、可動片受金59が受金収納部56c内の左側に当接してコイルスプリング58の下端側の左側への湾曲が規制される。この後、図４(c)に示すように、ハンドル12が右側へと揺動すると、ハンドル12の左側のハンドル側突部55が図中の右側のハンドル側突部55よりも上方に位置してスイッチ本体側突部50と接触することで、ハンドル12の揺動が所定の設定揺動角度αに規制される。
【００５０】
このように、上記一実施の形態のスイッチ装置10によれば、ハンドル12に設けたハンドル側突部55が、ハンドル12の揺動時に、スイッチ本体11の正面側に設けたスイッチ本体側突部50と当接することでハンドル12の揺動角度を規制することにより、ハンドル12の揺動角度のばらつきを抑制できるとともに、ハンドル12の揺動角度を規制するための構成をスイッチ本体11の内部に設ける必要がなく、スイッチ本体11の内部に空間部Ｓを確保できる。
【００５１】
このため、２つ以上のスイッチ装置10を同一の取付枠に施工した場合、ハンドル12の傾きが統一されて見栄えが悪くなることもなく、ハンドル12の遊びも均一化され、遊びのばらつきによって操作した際に違和感が生じることもない。
【００５２】
また、スイッチ装置10の種類によっては、ハンドル12に照明装置などを取り付けてこのハンドル12(スイッチカバー)などにスイッチの開閉状態を表示させる表示部を形成する構成とすることがあるため、スイッチ本体11の内部に空間部Ｓを確保することで、この空間部Ｓに点灯用の構成を組み込むことが可能になり、スイッチ装置10の大型化などを招くことなく照明装置付きの構成に対応できる。
【００５３】
さらに、スイッチ本体側突部50がスイッチ本体11の正面側に位置しているため、開口部49からスイッチ本体11内へと塵埃が侵入しにくく、塵埃の侵入に起因する動作不良や導通不良などをも防止できる。
【００５４】
また、コイルスプリング58の背面側がスラストへと変形することで可動接点44と固定接点33，33とが接触可能となる可動片41の動作範囲を得るための可撓空間部56dをハンドル12の背面側に設けることにより、可動接点44および固定接点33，33などに寸法公差や位置などのばらつきが生じた場合でも、これらばらつきを可撓空間部56dでのコイルスプリング58の変形によって吸収することができ、可動接点44と固定接点33，33との確実な接触を得ることができる。
【００５５】
さらに、ハンドル12の背面側の受金収納部56cに嵌合した可動片受金59の揺動位置をこの受金収納部56cにより規制することで、コイルスプリング58の背面側がスラスト方向に必要以上に変形したり、変形したままハンドル12の反転操作に追従しなかったりすることを防止でき、コイルスプリング58および可動片受金59を介してハンドル12の反転操作に可動片41を確実に追従させることができる。
【００５６】
そして、ハンドル12の小さな動きを確実に可動片41に伝えることができるとともに、ハンドル12の小さな動きで可動片41の可動接点44を大きく動かし、いわゆる接点ギャップおよび接点フォローを大きく確保できるため、可動角度の小さい大型のスイッチカバーなどでも、確実に動作するスイッチを提供できる。そして、必要以上に加工精度を高める必要がなく、製造コストを低減できるとともに、可動片41などの大型化の必要もなく、スイッチ装置10の大型化も回避できる。
【００５７】
なお、上記一実施の形態において、ハンドル12の支点となる係合受部は、ハンドル本体51とは別体の部品で構成し、取り付けることもできる。
【００５８】
また、本発明のスイッチ装置は、スイッチボックスなどに取り付けて使用する埋込スイッチの他、壁や造営材などに直接に木ねじなどを用いて取り付ける露出スイッチに適用することもできる。
【００５９】
また、本発明のスイッチ装置は、導通の切り換えを行う３路スイッチの他、１つの固定接点を有し導通の入り切りを行う片切スイッチに適用することもできる。
【図面の簡単な説明】
【００６０】
【図１】本発明の一実施の形態を示すスイッチ装置の断面図である。
【図２】同上スイッチ装置のハンドルを示す断面図である。
【図３】同上スイッチ装置のスプリング、可動片および規制部材を示す分解斜視図である。
【図４】同上ハンドルの動作に伴う可動片の動作を示し、(a)はハンドルの中立状態を示す説明断面図、(b)はハンドルが中立状態から所定角度傾斜した状態を示す説明断面図、(c)はハンドルが反転動作した状態を示す説明断面図である。
【図５】同上スプリングの荷重を示す説明図である。
【符号の説明】
【００６１】
10    スイッチ装置
11    スイッチ本体
12    ハンドル
33    本体側接点としての固定接点
41    可動片
44    可動接点
50    スイッチ本体側突部
55    ハンドル側突部
56a   スプリング収納部
56c   揺動規制部としての受金収納部
56d   可撓空間部
58    スプリングとしてのコイルスプリング
59    規制部材としての可動片受金
【図１】
2009230972.tif 000003
【図２】
2009230972.tif 000004
【図３】
2009230972.tif 000005
【図４】
2009230972.tif 000006
【図５】
2009230972.tif 000007